(57)【特許請求の範囲】
【請求項１】
側板前後端内部に配設され天井面に押圧を与えることで箱型家具を固定する一対の縦型棒状体と、側板中程内部で各縦型棒状体をリンク機構を介して接続し両縦型棒状体を同時に昇降操作する操作部と、を備えた可動式箱型家具において、側板内面に配設される電気器具に電線を引き込む為の配線スペースを操作部外側を横切って側板内部に設けると共に、操作部と配線スペースとの間に絶縁用の仕切り板を設けたことを特徴とする可動式箱型家具。
【請求項２】
箱型家具の両側板に各々一対の縦型棒状体と操作部を設け、両側板の各操作部を操作用棒状体でつなぎ、操作用棒状体を回転操作し、各操作部に接続されたリンク機構により両縦型棒状体を同時に押上げ、縦型棒状体上端部で尚且つ箱型家具上部前後端に設けられた前後一対の可動幕板を同時に押上げるようにしたことを特徴とする請求項１記載の可動式箱型家具。
【請求項３】
配線スペースの電源側電線引込口を側板上下方向端部に設けることで、箱型家具を横並びに連設可能としたことを特徴とする請求項１又は２記載の可動式箱型家具。
【発明の詳細な説明】
【０００１】
【発明の属する技術分野】
本発明は、側板前後端内部に配設され天井面に押圧を与えることで箱型家具を固定する一対の縦型棒状体と、側板中程内部で各縦型棒状体をリンク機構を介して接続し両縦型棒状体を同時に昇降操作する操作部と、を備えた可動式箱型家具に関するものである。
【０００２】
【従来の技術】
従来から、図１８に示すように、箱型家具（２）両側板（３）に配設した一対の操作部（１）によってリンク機構を操作し、リンク機構を介して縦型棒状体を上昇操作し、縦型棒状体の上端部に配設された可動幕板（７）で天井面を押圧することで箱型家具（２）を固定するようにしていた。又、このものは操作部（１）でリンク機構を操作しリンク機構による天井面の押圧を解除する。この時、りンク機構は側板（３）前後端内部に配設された縦型棒状体をつなぐように設けられている。
【０００３】
これにより、箱型家具（２）の固定状態と可動状態とを操作部（１）で切替え操作することができる。又、側板（３）前後端内部に配設された縦型棒状体を同時に操作することができるので、簡単操作とすることができる。
【０００４】
【発明が解決しようとする課題】
しかしながら、上記従来の技術においては、リンク機構を設けたがゆえに、リンク機構を横切って配線スペースを設けることが困難となり、箱型家具（２）に設ける電気器具と電線の位置関係に制約が生じてしまうという問題を抱えていた。リンク機構より上側に電気器具を設けようとすると、電線もリンク機構より上側に引出してくる必要があった。これは、可動体であるリンク機構と隣接して電気配線を行うと、電線が可動体に絡んでしまう等のトラブルが予測される為、それを未然に防止する為に配線スペースに制約を設ける必要が生じる為である。
【０００５】
本発明は、上記事由に鑑みてなしたもので、その目的とするところは、リンク機構を横切り尚且つ安全に電気配線を行うことができる配線スペースを備えた可動式箱型家具を提供することにある。
【０００６】
【課題を解決するための手段】
上記目的を達成するために、本発明の可動式箱型家具にあっては、請求項１に記載したように、側板前後端内部に配設され天井面に押圧を与えることで箱型家具を固定する一対の縦型棒状体と、側板中程内部で各縦型棒状体をリンク機構を介して接続し両縦型棒状体を同時に昇降操作する操作部と、を備えた可動式箱型家具において、側板内面に配設される電気器具に電線を引き込む為の配線スペースを操作部外側を横切って側板内部に設けると共に、操作部と配線スペースとの間に絶縁用の仕切り板を設けている。
【０００７】
これにより、リンク機構を横切り尚且つ安全に電気配線を行うことができる配線スペースを備えた可動式箱型家具とすることができる。即ち仕切り板がリンク機構と配線スペースとの縁を切る為に、リンク機構に電線が絡んでしまうことがなくなり、安全に電気配線を行うことができるようになる。
【０００８】
又、本発明の可動式箱型家具にあっては、請求項２に記載したように、箱型家具の両側板に各々一対の縦型棒状体と操作部を設け、両側板の各操作部を操作用棒状体でつなぎ、操作用棒状体を回転操作し、各操作部に接続されたリンク機構により両縦型棒状体を同時に押上げ、縦型棒状体上端部で尚且つ箱型家具上部前後端に設けられた前後一対の可動幕板を同時に押上げるようにしても良い。
【０００９】
この場合、可動幕板で天井面を押圧するので、箱型家具と天井面との隙間を隠すことができる。又、前後一対の可動幕板を同時に押上げるので、操作も簡単にすることができる。
【００１０】
又、本発明の可動式箱型家具にあっては、請求項３に記載したように、配線スペースの電源側電線引込口を側板上下方向端部に設けることで、箱型家具を横並びに連設可能としても良い。
【００１１】
この場合、配線スペースの電源側電線引込口を側板上下方向端部に設けることで側板の制約が少なくなり、箱型家具を横並びに連接可能とすることができる。即ち、側板の中程に電源側電線引込口を設けてしまうと、箱型家具を横並びに連接した際に電線が邪魔になってしまう。本発明においては、そのような制約を排除することで横並びに連接可能としている。又、本発明においては上下方向端部に設けているので、天井裏、床下等から簡単に電線を引き込むことができる。
【００１２】
【発明の実施の形態】
図１乃至図１７は、本発明の請求項１乃至３に対応する一実施の形態の可動式箱型家具を示す説明図である。
【００１３】
この実施の形態の可動式箱型家具は、請求項１に記載したように、側板（３）前後端内部に配設され天井面に押圧を与えることで箱型家具（２）を固定する一対の縦型棒状体（１２）と、側板（３）中程内部で各縦型棒状体（１２）をリンク機構（５）を介して接続し両縦型棒状体（１２）を同時に昇降操作する操作部（１）と、を備えた可動式箱型家具において、側板（３）内面に配設される電気器具（２２）に電線（２１）を引き込む為の配線スペース（２０）を操作部（１）外側を横切って側板（３）内部に設けると共に、操作部（１）と配線スペース（２０）との間に絶縁用の仕切り板（１３）を設けている。
【００１４】
又、該実施の形態の可動式箱型家具は、請求項２に記載したように、箱型家具（２）の両側板（３）に各々一対の縦型棒状体（１２）と操作部（１）を設け、両側板（３）の各操作部（１）を操作用棒状体（４）でつなぎ、操作用棒状体（４）を回転操作し、各操作部（１）に接続されたリンク機構（５）により両縦型棒状体（１２）を同時に押上げ、縦型棒状体（１２）上端部で尚且つ箱型家具（２）上部前後端に設けられた前後一対の可動幕板（７）を同時に押上げるようにしてもいる。
【００１５】
又、該実施の形態の可動式箱型家具は、請求項３に記載したように、配線スペース（２０）の電源側電線引込口を側板（３）上下方向端部に設けることで、箱型家具（２）を横並びに連設可能としてもいる。
【００１６】
図１、２に示すように、本実施の形態の可動式箱型家具は、操作部（１）と連動するリンク機構（５）によりその上端部に設けられた可動幕板（７）を上下動させ、箱型家具（２）の固定状態と可動状態とを切替えるようにしている。操作部（１）は両側板（３）に設けられ、操作用棒状体（４）の両端部を各操作部（１）に嵌合した状態で回動操作される。箱型家具（２）は天板（８）、側板（３）、裏板（９）、底板（１０）、棚板（１１）とを備えている。
【００１７】
図２には側板（３）と、その内側に納まる操作部（１）とリンク機構（５）と縦型棒状体（１２）と仕切り板（１３）とが示されている。操作部（１）は、図６に示すようなもので平面略菱形の板状体であり、その中心部には操作用棒状体（４）の端部が嵌合する操作部嵌合穴（１ａ）が設けられている。
【００１８】
リンク機構（５）はピンで結合される２本のアーム（１４）（１５）と、下側のアーム（１４）中程にピンで結合される制御バー（１６）とで構成される。制御バー（１６）は端部を操作部（１）に対しピンを介して結合されており、操作部（１）の左回転によって操作部（１）側に引き寄せられる。下側のアーム（１４）はその下端部にカム（１７）を有しており、下側のアーム（１４）が操作部（１）側に引き寄せられた際には、図２のＢ部拡大図である図７に示すようにカム（１７）が直立し、カム（１７）下側に当接して設けられた縦型フレーム（１８）が押出され、移動用の車輪（１９）が側板（３）下端縁より突出し、箱型家具（２）が可動状態となるようにしている。
【００１９】
又、リンク機構（５）の上側のアーム（１５）も、操作部（１）の左回転によって操作部（１）側に引き寄せられ、その結果、縦型棒状体（１２）が降下し、天井への押圧が解除される。
【００２０】
又、操作部（１）を右側に回転すると上記と反対の動きが生じ、箱型家具（２）が固定状態となる。
【００２１】
図３、４は側板（３）の詳細を示す。仕切り板（１３）が操作部（１）と配線スペース（２０）との間に納まって操作部（１）と配線スペース（２０）との縁を切っている。この配線スペース（２０）は天井面から引き込んだ電線（２１）を側板（３）内面の電気器具（２２）であるコンセントに導くことができるように操作板（１）を横切って側板（３）内部に配設される。このような配線スペース（２０）を設けることで図５に示すようにＴＶ（２３）を箱型家具（２）の中段に設置する使用方法を提案することができる。即ち、ＴＶ（２３）の設置高さから電気器具（２２）であるコンセントの位置がまず決まる。コンセントに接続されるＴＶ用コードが使用者から見えにくくする為、一般的には箱型家具（２）の下部に電気器具（２２）であるコンセントを配設する。又、屋内電気配線は天井裏に設けられることが多いので電線（２１）は自ずと箱型家具（２）の上方から供給される。このようなシッチュエーションの場合、配線スペース（２０）は操作部（１）を横切って設けられる。本実施の形態の場合には、仕切り板（１３）で配線スペース（２０）と操作部（１）との縁切りを行っているので、断線等のトラブルを心配することなく電気配線することができる。
【００２２】
又、この他にも電気器具（２２）を箱型家具（２）内部を照らす照明器具としても良い。この場合、箱型家具（２）の内部が明るくなり収納物の確認が容易なものとなる。
【００２３】
図８乃至図１０は図１で示すＡ部の拡大図で操作用棒状体（４）と受具（６）の嵌合を説明している。操作用棒状体（４）の端部両縁には突出部（４ｃ）を有し、突出部（４ｃ）が操作部嵌合穴（１ａ）と嵌合するようにしている。又、操作用棒状体（４）の周壁には嵌合穴（４ｂ）が設けられており、受具（６）受面に設けた嵌合片（６ａ）と嵌合することで嵌合結合される。
【００２４】
図１１は、操作用棒状体（４）を示している。操作用棒状体（４）は２本の筒体（４ａ）（４ａ’）を重合接続して形成され、伸縮自在なものとなっている。このものには、握り棒（２４）が突設されている。握り棒（２４）は平面形状をＴ字とし、Ｔ字の水平線に相当する部分に筒体（２４ａ）を備えており、この筒体（２４ａ）を操作用棒状体（４）に重合してスライド自在に配設する。更に、この筒体（２４）には周壁と螺合するネジ（２５）が設けてあり、このネジ（２５）が周壁内部を挿通し操作用棒状体（４）の周壁外面を締めつけることにより握り棒（２４）が所定の位置に固定されるようにしている。
【００２５】
図１２は、操作用棒状体（４）の保管形態を示している。操作用棒状体（４）を洋服掛けとして利用しない場合には、箱型家具（２）底板（１０）の下側に前後にスライドする引出し（２６）を設け、操作用棒状体（４）と握り棒（２４）を引出し（２６）内へ収納する。引出し（２６）は図１３乃至図１５に示すように移動用の車輪（１９）と干渉しないように配設する。引出し（２６）の前部には化粧前板（２７）が設けられており、引出し（２６）格納時には箱型家具（２）の化粧幅木としての役目を果たす。
【００２６】
図１６、１７は操作用棒状体（４）の他の保管形態を示し、図１６においては引出しの代りに開閉蓋（２８）を備えた箱体（２９）を底板（１０）下側に設けてなる。図１７においては、引出し（２６）を箱型家具（２）の上端部に設けてなる。
【００２７】
したがって、以上説明した可動箱型家具によると、リンク機構（５）を横切り尚且つ安全に電気配線を行うことができる配線スペース（２０）を備えた可動式箱型家具とすることができる。即ち仕切り板（１３）がリンク機構（５）と配線スペース（２０）との縁を切る為に、リンク機構（５）に電線（２１）が絡んでしまうことがなくなり、安全に電気配線を行うことができるようになる。
【００２８】
又、可動幕板（７）で天井面を押圧するので、箱型家具（２）と天井面との隙間を隠すことができる。又、前後一対の可動幕板（７）を同時に押上げるので、操作も簡単にすることができる。
【００２９】
又、配線スペース（２０）の電源側電線引込口を側板（３）上下方向端部に設けることで側板（３）の制約が少なくなり、箱型家具（２）を横並びに連接可能とすることができる。即ち、側板（２）の中程に電源側電線引込口を設けてしまうと、箱型家具（２）を横並びに連接した際に電線（２１）が邪魔になってしまう。本発明においては、そのような制約を排除することで横並びに連接可能としている。又、本発明においては上下方向端部に設けているので、天井裏、床下等から簡単に電線（２２）を引き込むことができる。
【００３０】
【発明の効果】
上述の如く、請求項１記載の発明によれば、リンク機構を横切り尚且つ安全に電気配線を行うことができる配線スペースを箱型家具に設けることができる。
【００３１】
そして、請求項２記載の発明によれば、可動幕板で天井面を押圧するので、箱型家具と天井面との隙間を隠すことができる。
【００３２】
そして、請求項３記載の発明によれば、配線スペースの電源側電線引込口を側板上下方向端部に設けることで側板の制約が少なくなり、箱型家具を横並びに連接可能とすることができる。
【図面の簡単な説明】
【図１】本発明の一実施の形態である可動式箱型家具を示す概略図である。
【図２】該可動式箱型家具の側板の透視図である。
【図３】該可動式箱型家具の側板の詳細図である。
【図４】該可動式箱型家具の側板を示す断面図である。
【図５】該可動式箱型家具を示す概略図である。
【図６】該可動式箱型家具の操作部を示す説明図である。
【図７】該可動式箱型家具の図２で示すＢ部の拡大図でリンク機構を示す詳細図である。
【図８】該可動式箱型家具の図１で示すＡ部の拡大図で操作用棒状体と受具を示す説明図である。
【図９】該可動式箱型家具の図１で示すＡ部の拡大図で操作用棒状体と受具を示す説明図である。
【図１０】該可動式箱型家具の図１で示すＡ部の拡大図で操作用棒状体と受具を示す説明図である。
【図１１】該可動式箱型家具の操作用棒状体を示す説明図である。
【図１２】該可動式箱型家具の操作用棒状体の保管形態を示す概略図である。
【図１３】該可動式箱型家具の引出しを示す説明図である。
【図１４】該可動式箱型家具の引出しを示す説明図である。
【図１５】該可動式箱型家具の引出しを示す説明図である。
【図１６】該可動式箱型家具の操作用棒状体の別の保管形態を示す概略図である。
【図１７】該可動式箱型家具の操作用棒状体の別の保管形態を示す概略図である。
【図１８】可動式箱型家具の従来例を示す概略図である。
【符号の説明】
１    操作部
２    箱型家具
３    側板
４    操作用棒状体
５    リンク機構
７    可動幕板
１２  縦型棒状体
１３  仕切り板
２０  配線スペース
２１  電線
２２  電気器具
【図１】
0003573083.tif 000002
【図２】
0003573083.tif 000003
【図３】
0003573083.tif 000004
【図４】
0003573083.tif 000005
【図５】
0003573083.tif 000006
【図６】
0003573083.tif 000007
【図７】
0003573083.tif 000008
【図８】
0003573083.tif 000009
【図９】
0003573083.tif 000010
【図１０】
0003573083.tif 000011
【図１１】
0003573083.tif 000012
【図１２】
0003573083.tif 000013
【図１３】
0003573083.tif 000014
【図１４】
0003573083.tif 000015
【図１５】
0003573083.tif 000016
【図１６】
0003573083.tif 000017
【図１７】
0003573083.tif 000018
【図１８】
0003573083.tif 000019